(57)【要約】【課題】綴じ具の操作性を良好な状態に維持し又は向上させるとともに、綴じ具の製造時における歩留まりの低下を回避する。【解決手段】ベース部材と、ベース部材に対して相対移動可能に該ベース部材に連結されたスライド部材とを備え、綴じ足を挟持又は解除することで書類を綴じる綴じ具であって、ベース部材は、ベース本体部の上端側に被係合手段を有し、スライド部材は、スライド本体部のうちベース本体部の上端側に対向する部位に被係合手段と係合可能な係合手段を有し、スライド部材とベース部材とによる相対移動においては、綴じ足を挟持する挟持状態と、該挟持状態が解除され該綴じ足と綴じ具とが分離可能となる分離可能状態とが採られ、係合手段は、ベース部材とスライド部材が分離可能状態又は挟持状態にあるとき、被係合手段と係合し各々の状態を保持する。【選択図】  図３
2008162063.tif 000002
【特許請求の範囲】
【請求項１】
ベース部材と、
前記ベース部材に対して相対移動可能に該ベース部材に連結されたスライド部材と、を備え、ファイル本体に設けられた屈曲可能な綴じ足を挟持又は解除することで書類を綴じる綴じ具であって、
前記ベース部材は、
樹脂製のベース本体部と、
前記ベース本体部の側端側に設けられ、前記綴じ足を該側端側から該ベース本体側へ挿入するベース切欠部と、
前記ベース切欠部から挿入された前記綴じ足に対して、前記スライド部材が前記相対移動を行うことで該綴じ足を前記ベース本体部の上端側に倒伏姿勢で収容する収容通路と、
前記ベース本体部の上端側であって、前記スライド部材の相対移動方向に沿って設けられた被係合手段と、を有し、
前記スライド部材は、
樹脂製のスライド本体部と、
前記スライド本体部の側端側に設けられ、前記綴じ足を前記ベース切欠部を介して前記ベース部材側に挿入可能とするスライド切欠部と、
前記スライド本体部のうち前記ベース本体部の上端側に対向する部位に設けられ、前記被係合手段と係合可能な係合手段と、を有し、
前記スライド部材と前記ベース部材とによる前記相対移動においては、前記ベース切欠部及び前記スライド切欠部に挿入された前記綴じ足を前記倒伏姿勢として該綴じ足を該スライド部材と該ベース部材とで挟持する挟持状態と、該挟持状態が解除され該綴じ足と前記綴じ具とが分離可能となる分離可能状態とが採られ、
前記係合手段は、前記ベース部材と前記スライド部材が該分離可能状態にあるとき、前記被係合手段と係合し前記分離可能状態を保持する、綴じ具。
【請求項２】
前記係合手段は、更に、前記ベース部材と前記スライド部材が前記挟持状態にあるとき前記被係合手段と係合し前記挟持状態を保持する、請求項１に記載の綴じ具。
【請求項３】
前記係合手段は、前記スライド本体部のうち前記ベース本体部の上端側に向かって延出する係合爪であって、
前記被係合手段は、前記収容通路の上面側に設けられ、前記係合爪と係合可能な係合突起である、請求項１又は請求項２に記載の綴じ具。
【請求項４】
前記スライド部材が前記ベース部材に対して前記挟持状態から前記分離可能状態に相対移動を行うとき、前記係合爪は、前記収容通路内に倒伏姿勢で収容されている前記綴じ足をすくい出す、請求項３に記載の綴じ具。
【請求項５】
前記係合爪の延出する向きは、前記スライド部材が前記ベース部材に対して前記挟持状態から前記分離可能状態に相対移動を行うときに前記倒伏姿勢にある綴じ足の先端部の下部に滑り込む向きである、請求項３に記載の綴じ具。
【請求項６】
前記スライド部材は、更に、一端側にユーザが前記相対移動を行うために該スライド部材を把持するための第一操作部と、他端側に該ユーザが把持するための第二操作部とを有し、
前記スライド切欠部は、前記第一操作部と前記第二操作部との間に設けられるとともに、該第一操作部と該第二操作部とは連結部よって連結され、
前記係合爪は、前記第一操作部の基端部から、前記第一操作部、前記第二操作部および前記連結部によって形成されるスライド中空部内に延出する、請求項３から請求項５の何
れかに記載の綴じ具。
【請求項７】
前記係合突起は、前記相対移動に伴う前記係合爪の引っ掛かりを回避する傾斜面を有する、請求項３から請求項６の何れかに記載の綴じ具。
【請求項８】
請求項１から請求項７の何れかに記載の綴じ具が設けられた、書類等を綴じこむためのファイル用具。
【発明の詳細な説明】
【技術分野】
【０００１】
本発明は、書類等をファイルに綴じこむための綴じ具に関する。
【背景技術】
【０００２】
ファイルに設けられた綴じ足を、書類等に穿った貫通孔に相通させて、その書類等を綴じ込むためにベース部材とスライド部材から構成される綴じ具が使用される。このような綴じ具においては、綴じ足をベース部材とスライド部材との間で挟持することで綴じ足と綴じ具とを連結させて、綴じ足が挿通された書類等をファイルに綴じこむことが可能となる。
【０００３】
上記の綴じ具において、綴じ具の着脱をユーザの片手の操作で連続的に行うための技術が開示されている（例えば、特許文献１を参照。）。この技術においては、円滑にファイル側の綴じ足を綴じ具上の挿通路内に収めるために、綴じ具の側端に切欠を設けるとともに、挿通路の端部に斜面部を設けることとした。更には、綴じ具の側端側において、該綴じ具を構成するベース部材とスライド部材との間にストッパ機構を設けることで、ベース部材とスライド部材との相対位置関係を所定の状態に保持することが可能となり、綴じ具の操作性向上に寄与させている。
【特許文献１】特許３７９０８３７号公報
【発明の開示】
【発明が解決しようとする課題】
【０００４】
ここで、上述までのようにベース部材とスライド部材とで構成される綴じ具においては、樹脂製のベース部材やスライド部材から構成される綴じ具が広く利用されている。綴じ具を樹脂製とすることで大量の綴じ具を短時間で生産することが可能となり、以て綴じ具の生産コストを低くすることが可能となる。また、樹脂の材料を適切に選択することで、大量の書類を綴じ込む可能性のある綴じ具としても十分な耐久力を発揮することができる。
【０００５】
このように樹脂製の綴じ具を利用することにはメリットがあるが、その反面、樹脂製による綴じ具の使用時や製造時に問題点が生じる虞がある。即ち、樹脂製の綴じ具の製造においては、スライド部材等を成形した場合、成形後に生じる歪みが、例えば金属製の綴じ具の製造時の歪みと比べて比較的大きくなる。この成形後に生じる歪みが大き過ぎると、ベース部材とスライド部材との相対移動が円滑に行われず、綴じ具の操作性が悪化したり、製造時の歩留まりが低下したりする虞がある。特に、綴じ具の側端に上記ストッパ機構のような、スライド部材とベース部材との相対移動に関連する構成要素を設けるとき、この歪みの影響は大きくなる。
【０００６】
本発明では、上記した問題に鑑み、綴じ具の操作性を良好な状態に維持し又は向上させるとともに、綴じ具の製造時における歩留まりの低下を回避することを可能とすることを目的とする。
【課題を解決するための手段】
【０００７】
本発明は、上記した課題を解決するために、ベース部材とスライド部材とで構成される綴じ具の操作性向上に大きく寄与する、綴じ具の構成要素を、綴じ具の側端側に設けるのではなく、綴じ具の上端側、即ち綴じ具を操作する操作面側に設けることとした。樹脂製の綴じ具においては製造時の歪みの発生は不可避的であるが、当該構成要素を綴じ具の上端面側に設けることで該歪みが綴じ具の操作性に影響を及ぼすのを回避することができる
からである。
【０００８】
詳細には、本発明は、ベース部材と、前記ベース部材に対して相対移動可能に該ベース部材に連結されたスライド部材と、を備え、ファイル本体に設けられた屈曲可能な綴じ足を挟持又は解除することで書類を綴じる綴じ具であって、前記ベース部材は、樹脂製のベース本体部と、前記ベース本体部の側端側に設けられ、前記綴じ足を該側端側から該ベース本体側へ挿入するベース切欠部と、前記ベース切欠部から挿入された前記綴じ足に対して、前記スライド部材が前記相対移動を行うことで該綴じ足を前記ベース本体部の上端側に倒伏姿勢で収容する収容通路と、前記ベース本体部の上端側であって、前記スライド部材の相対移動方向に沿って設けられた被係合手段と、を有し、前記スライド部材は、樹脂製のスライド本体部と、前記スライド本体部の側端側に設けられ、前記綴じ足を前記ベース切欠部を介して前記ベース部材側に挿入可能とするスライド切欠部と、前記スライド本体部のうち前記ベース本体部の上端側に対向する部位に設けられ、前記被係合手段と係合可能な係合手段と、を有し、前記スライド部材と前記ベース部材とによる前記相対移動においては、前記ベース切欠部及び前記スライド切欠部に挿入された前記綴じ足を前記倒伏姿勢として該綴じ足を該スライド部材と該ベース部材とで挟持する挟持状態と、該挟持状態が解除され該綴じ足と前記綴じ具とが分離可能となる分離可能状態とが採られ、前記係合手段は、前記ベース部材と前記スライド部材が前記分離可能状態にあるとき、前記被係合手段と係合し該分離可能状態を保持する。
【０００９】
本発明に係る綴じ具においては、ともに樹脂製の本体部を有するベース部材とスライド部材との相対移動によって、綴じ足と綴じ具との相対的な状態が挟持状態又は分離可能状態となることで、書類等のフィルへの綴じ込み又は抜き出しが可能となる。
【００１０】
先ず、分離可能状態においては、ベース部材に設けられたベース切欠部とスライド部材に設けられた切欠部とを介して、ファイルに設けられた綴じ足をベース本体側に挿入することが可能である。この状態において綴じ足を両切欠部に挿入し、スライド部材をベース部材に対して、分離可能状態から挟持状態に至るように相対移動させることによって、綴じ足が収容通路内に倒伏姿勢で収容されるとともに、ベース部材とスライド部材との間で挟持状態とされる。この結果、綴じ足の先端部分を綴じ具によって収容通路内に収容させ、綴じ足と綴じ具を一体化した状態とするため、綴じ足が挿通された書類等をファイルに綴じ込むことが可能となる。
【００１１】
次に、挟持状態においては上記のように綴じ足と綴じ具とが一体化した状態となっているが、この状態からスライド部材がベース部材に対して上記の相対移動と反対向きの相対移動を行うことで、その一体化した状態を解除し、綴じ足をベース切欠部とスライド切欠部から抜き出すことを可能とする。その結果、綴じ足と綴じ具とを分離することが可能となり、ファイルから書類等を抜き出したり、または新たな書類等を加えたりすることが可能である。
【００１２】
このように構成される綴じ具において、スライド部材に設けられた係合手段とベース部材に設けられた被係合手段とが、該綴じ具の操作性向上に大きく寄与する。この係合手段と被係合手段は互いに係合し合うものであり、それにより分離可能状態を保持することが可能となる。即ち、綴じ足をベース切欠部やスライド切欠部に挿入またはそれらから抜き出す必要があるとき、ベース部材に対して相対移動可能なスライド部材を、係合手段と被係合手段による相互係合により一時的に相対移動できないよう保持することで、綴じ具の操作性を向上させるものである。そして、この係合手段と被係合手段による相互係合は、ある程度の外力を加えることで解除することが可能であるから、スライド部材をベース部材に対して相対移動させて分離可能状態から挟持状態への移行も円滑に行うことが可能となる。
【００１３】
そして、この被係合手段と係合手段は、それぞれスライド部材とベース部材の側端側ではない、上端側又は上端側に対向する部位に設けられている。スライド部材とベース部材の側端側は、樹脂製のスライド本体部とベース本体部が樹脂成形されたときに生じる歪みの影響を強く受ける部位であるから、本発明に係る綴じ具においては、最もその歪みの影響が少ない上端側又は上端側に対向する部位に、被係合手段および係合手段を設けることとした。その結果、スライド部材とベース部材の相対移動をより円滑な状態に維持することが可能となるとともに、係合手段と被係合手段の係合および該係合状態の解除も円滑に為し得ることになり、以て綴じ具の操作性向上に大きく寄与し、また綴じ具の製造時における歩留まりの低下を回避することも可能となる。
【００１４】
ここで上記の綴じ具において、前記係合手段は、更に、前記ベース部材と前記スライド部材が前記挟持状態にあるとき前記被係合手段と係合し前記挟持状態を保持するようにしてもよい。原則的には、上記挟持状態においては、綴じ足がスライド部材とベース部材によって挟持されることでそこに固定力が発生しているが、これに加えて係合手段と被係合手段との係合状態によってこの挟持状態をサポートすることで、挟持状態がいたずらに解除されて綴じ込まれた書類等が解放されることを可及的に回避することが可能となる。これにより、係合手段および被係合手段は、本発明に係る綴じ具での分離可能状態と挟持状態の保持に寄与することになり、綴じ具としての操作性が更に向上すると考えられる。
【００１５】
また、上述までの綴じ具において、前記係合手段は、前記スライド本体部のうち前記ベース本体部の上端側に向かって延出する係合爪であって、前記被係合手段は、前記収容通路の上面側に設けられ、前記係合爪と係合可能な係合突起であってもよい。係合爪と係合突起との相互係合により、上記のような分離可能状態の保持又は挟持状態の保持が達成されるものである。
【００１６】
ここで、係合手段として係合爪を利用する綴じ具において、前記スライド部材が前記ベース部材に対して前記挟持状態から前記分離可能状態に相対移動を行うとき、前記係合爪は、前記収容通路内に倒伏姿勢で収容されている前記綴じ足をすくい出すように設計されてもよい。ファイルに設けられた綴じ足は、その使用される度にスライド部材とベース部材によって挟持、解除が繰り返されるため、綴じ足の形状は経年変化する。ここで、挟持状態においては綴じ足は収容通路内に収容されるため、挟持状態から分離可能状態に移行しようとするとき、該綴じ足が収容通路から円滑に抜け出す必要がある。しかし、綴じ足の経年変化の結果、綴じ足自身の復元力によって収容通路から円滑に抜け出すことが容易でなくなる可能性がある。そこで、上記のように、本来は被係合手段に対して係合する係合爪を利用して、挟持状態から分離可能状態への相対移動時に、復元力が低下した綴じ足を収容通路内からすくい出すことで、綴じ具の操作性が低下することを避けることができる。
【００１７】
また、同様に係合手段として係合爪を利用する綴じ具において、前記係合爪の延出する向きは、前記スライド部材が前記ベース部材に対して前記挟持状態から前記分離可能状態に相対移動を行うときに前記倒伏姿勢にある綴じ足の先端部の下部に滑り込む向きであってもよい。即ち、爪の延出部を利用して係合爪を綴じ足の先端部の下部に滑り込ませることで、上記した場合と同様に、スライド部材の相対移動にともなって、復元力が低下した綴じ足をすくい上げて、綴じ具の操作性が低下することを避けることができる。
【００１８】
ここで上述までの綴じ具において、前記スライド部材は、更に、一端側にユーザが前記相対移動を行うために該スライド部材を把持するための第一操作部と、他端側に該ユーザが把持するための第二操作部とを有し、前記スライド切欠部は、前記第一操作部と前記第二操作部との間に設けられるとともに、該第一操作部と該第二操作部とは連結部よって連
結され、前記係合爪は、前記第一操作部の基端部から、前記第一操作部、前記第二操作部および前記連結部によって形成されるスライド中空部内に延出するものであってもよい。
【００１９】
スライド部材の両端側にそれぞれ第一操作部と第二操作部とを設けることで、ユーザがスライド部材の相対移動操作を行いやすくなる。そして、このスライド部材の両操作部と連結部によって、スライド部材の中央部近傍にスライド中空部が形成される。即ち、両操作部と連結部が環状に形成されることで、その環の中央部にスライド中空部が形成されることになる。ユーザは、スライド部材をベース部材に対して相対移動させるとき、綴じ足が倒伏姿勢にされていく状況や、その倒伏姿勢から立ち上がっていく綴じ足の状況を、そのスライド中空部を通して確認することが可能となる。更に、上記係合爪が第一操作部の基端部からスライド中空部内に延出しているため、ユーザは係合爪が係合突起に係合するとき、その触感を第一操作部を介して直接に感じ取ることができ、これは綴じ具の操作性向上に大きく貢献するものである。
【００２０】
ここで上述までの綴じ具において、前記係合突起は、前記相対移動に伴う前記係合爪の引っ掛かりを回避する傾斜面を有するものであってもよい。この傾斜面は、係合突起が設けられる基端面と係合突起の表面との間に、係合爪が引っかかるような窪みを存在させない係合突起の表面である。例えば、当該傾斜面としては、係合突起の頂部から基端面までを所定の傾斜角で一平面で結ぶ傾斜面や、係合爪の引っかかりが起こりやすい係合突起の基端部から中腹部に形成される傾斜面が採用できる。これにより、係合爪と係合突起による係合をより円滑に行うことが可能となるが、この傾斜面の存在により係合状態の保持、即ち分離可能状態の保持や挟持状態の保持が良好に行われなくなるのは本発明の趣旨に反する。そこで、本発明に係る傾斜面は、係合爪と係合突起が係合状態に至る際に係合爪が係合突起と接触する部位に設け、逆に該係合状態が解除される際に係合爪が係合突起と接触する部位には設けないのが好ましい。
【００２１】
尚、上述までの本発明に係る綴じ具が設けられた、書類等を綴じ込むためのファイル用具も、本発明の趣旨を包含するものである。
【発明の効果】
【００２２】
綴じ具の操作性を良好な状態に維持し又は向上させるとともに、綴じ具の製造時における歩留まりの低下を回避することを可能とする。
【発明を実施するための最良の形態】
【００２３】
ここで、本発明に係る綴じ具および該綴じ具が設けられたファイル用具の実施の形態について図面に基づいて説明する。図１Ａは、本発明に係る綴じ具１（図３等を参照。）を構成するスライド部材１０を示す図であり、図１Ｂは、スライド部材１０を図１Ａで示すＡ−Ａ’で切断した場合の断面図である。また、図２は、綴じ具１を構成するベース部材２０を示す図である。
【００２４】
スライド部材１０は、樹脂製の細長形状の部材であって一体成形で製造される。このスライド部材１０の両端側に二つの操作部１１、１２が設けられている。ユーザは後述するような綴じ具１の操作を行うときは、これらの操作部１１、１２に外力を加えることでスライド部材１０を移動せしめる。更に、操作部１１、１２は、スライド部材１０の片方の側端側において細長形状の連結部１３によって連結された形状となっている。また、スライド部材１０のもう片方の側端側においては、側端縁部１４が設けられているが、この側端縁部１４は操作部１１とのみ連結されて、操作部１２とは連結されていない。その結果、このスライド部材１０のもう片方の側端側においては、側端縁部１４と操作部１２との間に切欠部１５が形成される。
【００２５】
このように形成されるスライド部材１０においては、二つの操作部１１、１２および連結部１３、側端縁部１４によって環形状が形成され、その環形状の中央部に位置するスライド中空部１６が、切欠部１５を介してスライド部材１０の外部領域と連通している。尚、側端縁部１４のうち切欠部１５に面する部位である端部１４ａは、スライド部材１０の厚さ方向において切欠部１５の間口が広がるように操作部１１側に傾斜している。
【００２６】
更に、スライド中空部１６においては、操作部１１を基端側として係合爪１７が下方に延出している。この係合爪１７の延出方向は、概ね側端縁部１４の端部１４ａの傾斜方向に沿った方向であり、従って係合爪１７は、操作部１１からスライド中空部１６に対して若干飛び出しつつ、操作部１１の上端側から厚さ方向に延出している。尚、この係合爪１７の機能については後述する。
【００２７】
また、操作部１２は、上端側の上端部１２ｂ、側端側の側端１２ａおよびスライド水平部１２ｃで構成され、図１Ｂに示すように全体で略コの字形状を為している。このスライド水平部１２ｃは、後述するベース部材２０のスライド溝部２４にゆるみ嵌め状態で嵌め込まれることで、スライド部材２０とベース部材１０との相対移動が可能となる。この点の詳細については、後述する。また、操作部１１についても操作部１２と同様の構成を有しており、操作部１１側のスライド水平部も上記相対移動に寄与する。
【００２８】
次に、図２に基づいてベース部材２０の説明を行う。ベース部材２０は、スライド部材１０と同様に、樹脂製の細長形状を有するベース本体部２１から成り、これは一体成形で製造される。ここで、ベース本体部２１の長手方向を概ね３等分する部位に、ベース本体部２１の側端側に開口する切欠部２３が二箇所形成されている。そして、この切欠部２３からベース本体部２１の長手方向に溝状に収容通路２２が、それぞれの切欠部２３に対応して二箇所に形成されている。尚、この二つの収容通路２２は連通はしておらず、それぞれ同じ程度の長さを有する。この収容通路２２には、図５に示すようにファイル用具２の綴じ足３が収容される。
【００２９】
ここで、各収容通路２２は、切欠部２３と接する部位２２ａにおいて緩やかな斜面が形成されている。これは、図５に示すように綴じ足３が収容通路２２に収容されるとき、綴じ足３が屈曲されるが、該斜面は、該綴じ足３をこの屈曲状態に円滑に導くためのものである。また、各収容通路２２の底部には、連続的な突起部からなる鋸歯状部２５が設けられ、これは屈曲状態とされた綴じ足３を、ベース部材２０とスライド部材１０とからなる綴じ具１で、より確実に挟持させるためのものである。更に、図２においてベース部材２０の中央部分に位置する収容通路２２の底部には、鋸歯状部２５の更に奥に二つの係合突起２６、２７が設けられている。これらの係合突起については、詳細は後述する。
【００３０】
また、ベース本体部２１の側端においては、ベース本体部２１の長手方向に沿ってスライド溝部２４が形成されている。上述したように、このスライド溝部２４にスライド部材１０のスライド水平部１２ｃが嵌り込むことで綴じ具１が形成されるとともに、スライド部材１０がベース部材２０に対して、ベース本体部２１の長手方向に相対移動、即ちスライド動作を行うことが可能となる。また、ベース本体部２１の各切欠部２３の開口部分近傍においては、切欠部２３に向かって傾斜する傾斜面２１ａが形成されている。この傾斜面２１ａの傾斜については、スライド部材１０の端部１４ａの斜面と同程度である。
【００３１】
このように構成されるスライド部材１０とベース部材２０とを、両者に設けられた切欠部１５と切欠部２３の開口部が同一側に配置されるように、嵌め合わせる。このとき上述したように、スライド溝部２４にスライド部材１０のスライド水平部１２ｃが嵌り込み、図３に示すような綴じ具１が形成される。綴じ具１は、図３に示すように、ファイル用具２に設けられた二本の樹脂製の綴じ足３（その先端部を３ａとする。）が挿通された書類
等４を、このファイル用具２に綴じ込むための綴じ具である。
【００３２】
ここで、綴じ具１による書類等の綴じ込みについて、図３−５に基づいて説明する。綴じ具１においては、上述したようにスライド部材１０がベース部材２０に対してスライド動作を行うことで、ファイル用具２に設けられた綴じ足３を固定する。このとき、綴じ具１においては、図４に示す分離可能状態と図５に示す挟持状態とが採られ、スライド部材１０とベース部材２０とはこれら両状態の間を移行するように上記スライド動作が行われる。
【００３３】
図４に示す分離可能状態は、図３に示す綴じ具１の状態と同じである。この状態においては、スライド部材１０に設けられた切欠部１５とベース部材２０に設けられた切欠部２３の開口部が一致している状態である。この分離可能状態では、両切欠部１５、２３を介して綴じ足３をベース本体部２１側に挿入することが可能な状態である。従って、図３に示すように綴じ足３が挿通された書類等に対して、分離可能状態にある綴じ具１を近づけて、その綴じ足３を両切欠部１５、２３の開口部から挿入する（該挿入後の状態が図４に示されている。）。その後、スライド部材１０をベース部材２０に対してスライド操作することで、後述する挟持状態に至る。
【００３４】
ここで、分離可能状態においては、図４に示すように、係合爪１７は、収容通路２２の底部上に設けられた係合突起２６、２７のうち、切欠部２３寄りに設けられた係合突起２６と係合している。尚、この係合状態では、係合突起２６は係合爪１７の下部に隠れているため、図４では係合突起２６を点線で示している。これにより、スライド部材１０に比較的大きな外力が作用しない限りにおいては、該スライド部材１０は、ベース部材２０に対してスライド動作が制限されている状態となり、結果的にこの分離可能状態が保持されることになる。従って、ユーザが図３に示すように綴じ具１を綴じ足３に近づけようとする際に、常に、切欠部１５と切欠部２３の開口部が一致している状態が保持されるため、これらの切欠部を介した綴じ足３の挿入を容易に行うことが可能となる。
【００３５】
次に、分離可能状態において綴じ足３を切欠部１５、２３に挿入した後、スライド部材１０に外力を加えて、係合爪１７と係合突起２６との係合を解除させるとともに、スライド部材１０を図４中の白抜き矢印の方向にスライド動作させると、図５に示す挟持状態に至る。この挟持状態においては、綴じ足３がスライド部材１０とベース部材２０との間に挟持されることで、綴じ足３と綴じ具１とが一体化した状態となり、綴じ足３が挿通された書類等をファイル用具２に綴じ込むことが可能となる。また、収容通路２２の底部には鋸歯状部２５が設けられているため、綴じ足３の挟持状態がより確かなものとなる。
【００３６】
また、この挟持状態においては、係合爪１７は、収容通路２２の底部上に設けられた係合突起２６、２７のうち、最も奥に設けられた係合突起２７と係合する。この結果、上記の綴じ足３と綴じ具１の挟持状態を、係合爪１７と係合突起２７との係合状態がサポートすることになるため、効率的に挟持状態を保持することができるとともに、不意の外力によって挟持状態が解除されてしまうことを回避することが可能となる。
【００３７】
このような本発明の実施例に係る綴じ具１においては、スライド部材１０とベース部材２０とのスライド動作によって、綴じ足３と綴じ具１を一体化またはその解除させることで、書類等の綴じ込みを可能とする。また、スライド部材１０に設けられ、収容通路２２の底部に向かって延出する係合爪１７と、収容通路２２の底部に設けられた係合突起２６、２７との係合状態により、上記分離可能状態および挟持状態を保持することが可能となる。これは、ユーザの綴じ具の操作性を向上させるものである。更に、これら係合爪１７と係合突起２６、２７が綴じ具１の厚さ方向で係合するように配置されることで、スライド部材１０とベース部材２０とが成形された際の歪みによる、綴じ具１の操作性低下を回
避することが可能となる。
【００３８】
上述のような効果を発揮する綴じ具１であるが、更に特筆すべき効果を発揮する。この点について、図６に基づいて説明する。図６は、スライド部材１０のスライド操作によって、綴じ足３と綴じ具１の相対的状態が、挟持状態から分離可能状態に移行する際の、綴じ足３と係合爪１７との関係を示す図である。図６（ａ）は、上記挟持状態にあるときの、綴じ足３と綴じ具１の相対的状態を示す図である。尚、図６においては鋸歯状部２５の記載は省略している。
【００３９】
そして、挟持状態から分離可能状態に移行するときは、スライド部材１０がベース部材２０に対して、図６の右側にスライドしていく。図６（ａ）の状態から、係合爪１７と係合突起２７との係合状態を解除して、更にスライド部材１０を図中右側に移行させていくと、図６（ｂ）の状態に至る。この状態においては、係合爪１７は、係合突起２７と係合突起２６の間に位置するとともに、収容通路２２内に倒伏姿勢で収容されている綴じ足３の先端部３ａに接触する。ここで、係合爪１７は、操作部１１を基端部として収容通路２２内に延出しており、その延出方向は図６（ｂ）に示すように、綴じ足３の先端部３ａの下に潜り込むことが可能な方向である。
【００４０】
更に、スライド部材１０がスライドして図６（ｂ）の状態から図６（ｃ）の状態に至ると、係合爪１７の延出部分が倒伏姿勢にある綴じ足３をすくい出すように機能する。これは、樹脂製の綴じ足３が経年変化等で復元力が低下してきたときに非常に有用であり、綴じ具１の円滑な操作性に大きく寄与するものである。
【００４１】
また、ベース部材２０側の収容通路２２内に設けられた係合突起２６、２７については、係合爪１７との係合を円滑に行うとともに、分離可能状態および挟持状態の保持を確実に行うために、図７に示す斜面形状を有する。図７は、係合突起２６を、ベース部材２０の長手方向に沿って断面的視点から見た場合の、該係合突起２６の斜面形状を示す図である。図７中において、左側から右側に係合爪１７が移行する場合が係合爪１７と係合突起２６とが係合状態に至る場合であり、逆に、右側から左側に係合爪１７が移行する場合が係合爪１７と係合突起２６との係合状態が解除される場合である。
【００４２】
係合突起２６は、図７中左側においては、突起の傾斜面が比較的緩やかになり、且つ係合爪１７が引っかかりにくくなるべく直線的斜面２６ａを有している。一方で、図７中右側においては、係合突起２６は、突起の傾斜面が直線的斜面２６ａよりも急峻であって、且つ係合爪１７が引っかかりやすいがある程度の強さの外力を加えるとその引っかかりは解除される程度の傾斜面２６ｂを有している。比較のため、係合突起２６の左側において、直線的斜面２６ａと傾斜面２６ｂとを重ねて表示させている。
【００４３】
このように係合突起２６を形成することで、係合爪１７が係合突起２６に対して係合方向に移行しようとする場合は、直線的斜面２６ａにより係合爪１７が係合突起２６を容易に乗り越えることができる。一方で、係合爪１７が係合突起２６に対して係合を解除する方向に移行しようとする場合は、傾斜面２６ｂにより係合爪１７は係合突起２６を容易に乗り越えることができず、その結果両者の係合状態が安定的に保持されることになる。
【００４４】
尚、図７は係合爪１７と係合突起２６との相関のみを示しているが、同様の技術的思想が係合爪１７と係合突起２７との相対関係にも適用されている。この係合爪１７と係合突起２６、２７における技術的思想によって、更に綴じ具１の操作性が向上される。
【図面の簡単な説明】
【００４５】
【図１Ａ】本発明の実施例に係る綴じ具を構成するスライド部材の構成を示す図である。
【図１Ｂ】図１Ａに示すスライド部材の断面を示す図である。
【図２】本発明の実施例に係る綴じ具を構成するベース部材の構成を示す図である。
【図３】本発明の実施例に係る綴じ具の構成を示す図である。
【図４】本発明の実施例に係る綴じ具において、綴じ足と綴じ具との相対的関係が分離可能状態にあるときの該綴じ具の図である。
【図５】本発明の実施例に係る綴じ具において、綴じ足と綴じ具との相対的関係が挟持状態にあるときの該綴じ具の図である。
【図６】本発明の実施例に係る綴じ具において、スライド部材が挟持状態から分離可能状態に至る方向にスライド移動したときの、係合爪と綴じ足との関係を示す図である。
【図７】本発明の実施例に係る綴じ具において、ベース部材の収容通路の底部に設けられた係合突起の形状を示す図である。
【符号の説明】
【００４６】
１・・・・綴じ具
２・・・・ファイル本体
３・・・・綴じ足
３ａ・・・・先端部
１０・・・・スライド部材
１１、１２・・・・操作部
１２ｃ・・・・スライド水平部
１３・・・・連結部
１５・・・・切欠部
１６・・・・スライド中空部
１７・・・・係合爪
２０・・・・ベース部材
２１・・・・ベース本体部
２１ａ・・・・傾斜面
２２・・・・収容通路
２３・・・・切欠部
２４・・・・スライド溝部
２５・・・・鋸歯状部
２６、２７・・・・係合突起
２６ａ・・・・直線的斜面
【図１Ａ】
2008162063.tif 000003
【図１Ｂ】
2008162063.tif 000004
【図２】
2008162063.tif 000005
【図３】
2008162063.tif 000006
【図４】
2008162063.tif 000007
【図５】
2008162063.tif 000008
【図６】
2008162063.tif 000009
【図７】
2008162063.tif 000010